(57)【要約】【課題】  使用者が必要とするときに、予め定められた使用者であることを迅速に認証する。【解決手段】  情報送信システムは、外部リーダ・ライタ５０から電磁波を受付け、非接触ＩＣカード６０に電磁波を出力する携帯端末１１０と、電磁波を受付けると、生体情報を検出して、生体情報が表わす特徴が、予め記憶された情報により表わされる特徴に一致するか否かを判断し、これらが一致すると判断されると、外部リーダ・ライタ５０に、予め記憶された情報に対応する電磁波を出力する非接触ＩＣカード６０を含む。【選択図】        図１
2005182192.tif 000002
【特許請求の範囲】
【請求項１】
携帯端末、および情報送信装置を含む情報送信システムであって、
前記携帯端末は、
前記情報送信装置よりも高い感度で電磁波を受付けるための携帯端末の受付手段と、
前記携帯端末の受付手段が受付けた電磁波が表わす、予め定められた信号を検出するための携帯端末の検出手段と、
前記情報送信装置に、電磁波を出力するための携帯端末の出力手段と、
前記携帯端末の検出手段が、前記予め定められた信号を検出すると、前記電磁波を出力するように、前記携帯端末の出力手段を制御するための制御手段とを含み、
前記情報送信装置は、
前記携帯端末の出力手段が出力した電磁波を受付けるための情報送信装置の受付手段と、
前記情報送信装置の受付手段が受付けた電磁波を、電力に変換するための変換手段と、
電力を供給するための供給手段と、
前記電力が供給されると、生体それぞれに固有の特徴を検出するための情報送信装置の検出手段と、
予め定められた使用者に固有の特徴を表わす情報を記憶するための第１の記憶手段と、
前記電力が供給されると、前記情報送信装置の検出手段が検出した特徴が、前記第１の記憶手段に記憶された情報により表わされる特徴に一致するか否かを判断するための判断手段と、
前記変換手段が電力を変換すると、前記情報送信装置の検出手段および判断手段のいずれかに設定された、前記供給手段からの電力の供給の停止を、解除するための解除手段と、
前記予め定められた使用者に固有の特徴を表わす情報とは異なる情報を記憶するための第２の記憶手段と、
前記判断手段によって、前記情報送信装置の検出手段が検出した特徴が、前記第１の記憶手段に記憶された情報により表わされる特徴に一致すると判断されると、前記第２の記憶手段に記憶された情報に対応するように変調された信号を生成するための生成手段と、
前記生成手段が生成した信号に対応する電磁波を出力するための出力手段とを含む、情報送信システム。
【請求項２】
前記情報送信装置は、前記携帯端末から電磁波を受付けたこと、および前記判断手段により前記情報送信装置の検出手段が検出した特徴が前記第１の記憶手段に記憶された情報により表わされる特徴に一致すると判断されたことを、それぞれ表示するための表示手段をさらに含む、請求項１に記載の情報送信システム。
【請求項３】
前記情報送信装置は、中心とは異なる位置に前記検出手段を配置した長方形のＩＣカードである、請求項１に記載の情報送信システム。
【請求項４】
前記中心とは異なる位置は、前記ＩＣカードの長辺側の端より短辺側の端に近い位置である、請求項３に記載の情報送信システム。
【請求項５】
前記中心とは異なる位置は、前記ＩＣカードの短辺側の端より長辺側の端に近い位置である、請求項３に記載の情報送信システム。
【請求項６】
前記解除手段は、前記変換手段が変換した電力を用いて、前記電力の供給の停止を解除するための手段を含む、請求項１に記載の情報送信システム。
【請求項７】
前記変換手段が変換した電力は、特定波長の電磁波から変換された電力である、請求項６に記載の情報送信システム。
【請求項８】
電磁波を受付けるための受付手段と、
前記受付手段が受付けた電磁波を、電力に変換するための変換手段と、
電力を供給するための供給手段と、
前記電力が供給されると、生体それぞれに固有の特徴を検出するための検出手段と、
予め定められた使用者に固有の特徴を表わす情報を記憶するための第１の記憶手段と、
前記電力が供給されると、前記検出手段が検出した特徴が、前記第１の記憶手段に記憶された情報により表わされる特徴に一致するか否かを判断するための判断手段と、
前記変換手段が電力を変換すると、前記検出手段および判断手段のいずれかに設定された、前記供給手段からの電力の供給の停止を、解除するための解除手段と、
前記予め定められた使用者に固有の特徴を表わす情報とは異なる情報を記憶するための第２の記憶手段と、
前記判断手段によって、前記検出手段が検出した特徴が、前記第１の記憶手段に記憶された情報により表わされる特徴に一致すると判断されると、前記第２の記憶手段に記憶された情報に対応するように変調された信号を生成するための生成手段と、
前記生成手段が生成した信号に対応する電磁波を出力するための出力手段とを含む、情報送信装置。
【請求項９】
前記解除手段は、前記変換手段が変換した電力を用いて、前記電力の供給の停止を、解除するための手段を含む、請求項８に記載の情報送信装置。
【請求項１０】
前記変換手段が変換した電力は、特定波長の電磁波から変換された電力である、請求項９に記載の情報送信装置。
【発明の詳細な説明】
【技術分野】
【０００１】
本発明は、情報送信システムおよび情報送信装置に関し、特に、本人確認のために読取った生体情報を、予め登録された生体情報と照合できる、情報送信システムおよび情報送信装置に関する。
【背景技術】
【０００２】
近年、クレジットカード機能やデビットカード機能などを有する、ＩＣ（Integrated  Circuit）カードが広く利用されている。このようなＩＣカードは、プラスチックカードにＩＣが埋込まれたものである。これらのＩＣカードには、所有者以外の使用者による不正使用の危険性という問題がある。
【０００３】
このような不正使用を回避するさまざまな技術が、提案されている。たとえば、特許文献１には、生体情報（以下の説明において、「生体情報」とは、ＩＣカードの使用者の指紋を始めとする、生体それぞれに固有の特徴を表わす情報のことである。使用者の筆跡なども、生体それぞれに固有の特徴を表わすので、生体情報の一種である。）に基づいて、使用者が正当な使用者か否かを認証するＩＣカードが開示されている。
【０００４】
図８を参照して、特許文献１に開示されたＩＣカードは、制御部１５０と、センサ部１５２と、電源部１５４と、記憶部１５６と、送受信部１５８と、アンテナ１６０と、電源コード１６２とを含む。制御部１５０は、ＩＣカードの各構成要素を制御する。制御部１５０は、他の構成要素との情報の交換を司る回路でもある。センサ部１５２は、使用者の生体情報を制御部１５０に入力する。電源部１５４は、ＩＣカードの各回路に電源を供給する。記憶部１５６は、情報を記憶する。記憶部１５６は、自らが記憶した情報を出力する回路でもある。送受信部１５８は、制御部１５０と外部のリーダ・ライタ（図示せず）との情報交換を司る。アンテナ１６０は、送受信部１５８が送信する電磁波を発信する。アンテナ１６０は、電磁波を受信する装置でもある。電源コード１６２は、電源部１５４が供給する電力をＩＣカードの各構成要素に供給する媒体である。送受信部１５８は、送信部１７２と、受信部１７４とを含む。送信部１７２は、制御部１５０から渡された情報を上述したリーダ・ライタに送信する。受信部１７４は、上述したリーダ・ライタから受信した情報を制御部１５０に引渡す。制御部１５０は、センサ部１５２が検出した生体情報を解析する。制御部１５０は、解析した結果と記憶部１５６に記憶された情報とを照合する。その照合の結果、両者が合致したときにのみ、上述したリーダ・ライタと情報を交換する。電源部１５４は、受信部１７４が受信する電磁波の分岐勢力を受ける。電源部１５４は、電磁波の分岐勢力を電力に変換する回路でもある。非接触ＩＣカード装置の各部に供給される電力は、このようにして変換された電力である。
【０００５】
この技術によると、ＩＣカードは、リーダ・ライタからの電磁波を受けて使用者の指紋を照合する。その照合の結果、両者が合致したときにのみ、上述したリーダ・ライタと情報を交換する。これにより、当該ＩＣカードの真の所有者以外の使用者による不正な使用を排除できる。そうすることで、現在使用範囲の限定されているＩＣカードの使用範囲を拡大することができる。今後、利便性・安全性から考えて、指紋などの生体情報を使用して正規使用者を確認するようになってくる可能性が高いと考えられる。その場合、ＩＣ自身に、指紋読み取り用のセンサを搭載することが望ましい。そこで、上述したように、そのようなセンサが搭載されたＩＣカードが提案され、実用化されている。
【０００６】
しかしながら上述した技術では以下のような問題が生じる。通常、ＩＣカードを使用者が使用する場合、使用する時点で個人認証が終了していることが望ましい。このため、特許文献１に示されているＩＣカードシステムでは、電源部１５４に蓄電池を設けて外部のＩＣカードインターフェース装置からの電磁波を受けるたびに蓄電を行なう。しかし、ＩＣカードの使用頻度が低い場合、蓄電池が放電して必要な時に電力供給ができないという問題が発生する。つまり、蓄電池が放電している場合、利用者はＩＣカードを使用する際、外部のリーダ・ライタから電力の供給を受け、ＩＣカードの各構成要素が動作可能となるレベルまで蓄電池に電力が蓄えられるのを待つ必要がある。
【特許文献１】特開平１１−１９５１０２号公報（第５〜７頁、図１）
【発明の開示】
【発明が解決しようとする課題】
【０００７】
本発明は上述の問題点を解決するためになされたものであって、その目的は、使用者が必要とするときに、予め定められた使用者であることを迅速に認証できる情報送信システムおよび情報送信装置を提供することにある。
【課題を解決するための手段】
【０００８】
上記目的を達成するために、本発明のある局面にしたがうと、情報送信システムは、携帯端末、および情報送信装置を含む。携帯端末は、情報送信装置よりも高い感度で電磁波を受付けるための携帯端末の受付手段と、携帯端末の受付手段が受付けた電磁波が表わす、予め定められた信号を検出するための携帯端末の検出手段と、情報送信装置に、電磁波を出力するための携帯端末の出力手段と、携帯端末の検出手段が、予め定められた信号を検出すると、電磁波を出力するように、携帯端末の出力手段を制御するための制御手段とを含む。情報送信装置は、携帯端末の出力手段が出力した電磁波を受付けるための情報送信装置の受付手段と、情報送信装置の受付手段が受付けた電磁波を、電力に変換するための変換手段と、電力を供給するための供給手段と、電力が供給されると、生体それぞれに固有の特徴を検出するための情報送信装置の検出手段と、予め定められた使用者に固有の特徴を表わす情報を記憶するための第１の記憶手段と、電力が供給されると、情報送信装置の検出手段が検出した特徴が、第１の記憶手段に記憶された情報により表わされる特徴に一致するか否かを判断するための判断手段と、変換手段が電力を変換すると、情報送信装置の検出手段および判断手段のいずれかに設定された、供給手段からの電力の供給の停止を、解除するための解除手段と、予め定められた使用者に固有の特徴を表わす情報とは異なる情報を記憶するための第２の記憶手段と、判断手段によって、情報送信装置の検出手段が検出した特徴が、第１の記憶手段に記憶された情報により表わされる特徴に一致すると判断されると、第２の記憶手段に記憶された情報に対応するように変調された信号を生成するための生成手段と、生成手段が生成した信号に対応する電磁波を出力するための出力手段とを含む。
【０００９】
すなわち、携帯端末の受付手段は、情報送信装置よりも高い感度で電磁波を受付ける。携帯端末の検出手段は、携帯端末の受付手段が受付けた電磁波が表わす、予め定められた信号を検出する。携帯端末の出力手段は、情報送信装置に、電磁波を出力する。制御手段は、携帯端末の検出手段が、予め定められた信号を検出すると、電磁波を出力するように、携帯端末の出力手段を制御する。情報送信装置の受付手段は、携帯端末の出力手段が出力した電磁波を受付ける。変換手段は、情報送信装置の受付手段が受付けた電磁波を、電力に変換する。供給手段は、電力を供給する。情報送信装置の検出手段は、電力が供給されると、生体それぞれに固有の特徴を検出する。第１の記憶手段は、予め定められた使用者に固有の特徴を表わす情報を記憶する。判断手段は、電力が供給されると、情報送信装置の検出手段が検出した特徴が、第１の記憶手段に記憶された情報により表わされる特徴に一致するか否かを判断する。解除手段は、変換手段が電力を変換すると、情報送信装置の検出手段および判断手段のいずれかに設定された、供給手段からの電力の供給の停止を、解除する。第２の記憶手段は、予め定められた使用者に固有の特徴を表わす情報とは異なる情報を記憶する。生成手段は、判断手段によって、情報送信装置の検出手段が検出した特徴が、第１の記憶手段に記憶された情報により表わされる特徴に一致すると判断されると、第２の記憶手段に記憶された情報に対応するように変調された信号を生成する。情報送信装置の出力手段は、生成手段が生成した信号に対応する電磁波を出力する。これにより、携帯電話の検出手段が予め定められた信号を検出するようなとき、情報送信装置の検出手段が検出した特徴が、第１の記憶手段に記憶された情報により表わされる特徴に一致するか否かが判断される。その結果、使用者が必要とするときに、予め定められた使用者であることを迅速に認証できる情報送信システムを提供することができる。
【００１０】
また、上述の情報送信装置は、携帯端末から電磁波を受付けたこと、および判断手段により情報送信装置の検出手段が検出した特徴が第１の記憶手段に記憶された情報により表わされる特徴に一致すると判断されたことを、それぞれ表示するための表示手段をさらに含むことが望ましい。
【００１１】
すなわち、表示手段は、携帯端末から電磁波を受付けたこと、および判断手段により情報送信装置の検出手段が検出した特徴が第１の記憶手段に記憶された情報により表わされる特徴に一致すると判断されたことを、それぞれ表示する。これにより、情報送信装置の動作の状態が明らかになる。その結果、情報送信装置の動作の状態が明らかで、かつ使用者が必要とするときに、予め定められた使用者であることを迅速に認証できる情報送信システムを提供することができる。
【００１２】
また、上述の情報送信装置は、中心とは異なる位置に検出手段を配置した長方形のＩＣカードであることが望ましい。
【００１３】
すなわち、検出手段は、長方形のＩＣカードの中心とは異なる位置に配置される。これにより、自然な動作の際、情報送信装置の検出手段が検出した特徴が第１の記憶手段に記憶された情報により表わされる特徴に一致するか否かが判断される。その結果、自然な動作により、使用者が必要とするときに、予め定められた使用者であることを迅速に認証できる情報送信システムを提供することができる。
【００１４】
もしくは、上述の中心とは異なる位置は、ＩＣカードの長辺側の端より短辺側の端に近い位置であることが望ましい。
【００１５】
すなわち、検出手段は、ＩＣカードの中心とは異なる、ＩＣカードの長辺側の端より短辺側の端に近い位置に配置される。これにより、より自然な動作の際、情報送信装置の検出手段が検出した特徴が第１の記憶手段に記憶された情報により表わされる特徴に一致するか否かが判断される。その結果、より自然な動作により、使用者が必要とするときに、予め定められた使用者であることを迅速に認証できる情報送信システムを提供することができる。
【００１６】
もしくは、上述の中心とは異なる位置は、ＩＣカードの短辺側の端より長辺側の端に近い位置であることが望ましい。
【００１７】
すなわち、検出手段は、ＩＣカードの中心とは異なる、ＩＣカードの短辺側の端より長辺側の端に近い位置に配置される。これにより、比較的自然な動作の際、情報送信装置の検出手段が検出した特徴が第１の記憶手段に記憶された情報により表わされる特徴に一致するか否かが判断される。その結果、比較的自然な動作により、使用者が必要とするときに、予め定められた使用者であることを迅速に認証できる情報送信システムを提供することができる。
【００１８】
また、上述の解除手段は、変換手段が変換した電力を用いて、電力の供給の停止を解除するための手段を含むことが望ましい。
【００１９】
すなわち、解除手段は、変換手段が変換した電力を用いて、電力の供給の停止を解除する。これにより、解除手段は、変換手段が十分な電力を変換すると、電力の供給の停止を解除する。十分な電力が変換されると電力の供給の停止が解除されるので、より確実に、使用者が必要とするとき、情報送信装置の検出手段が検出した特徴が第１の記憶手段に記憶された情報により表わされる特徴に一致するか否かが判断される。その結果、使用者が必要とするときに、予め定められた使用者であることを、より確実かつ迅速に認証できる情報送信システムを提供することができる。
【００２０】
もしくは、上述の変換手段が変換した電力は、特定波長の電磁波から変換された電力であることが望ましい。
【００２１】
すなわち、解除手段は、変換手段が変換した、特定波長の電磁波から変換された電力を用いて、電力の供給の停止を、解除する。これにより、さらに確実に、使用者が必要とするとき、情報送信装置の検出手段が検出した特徴が第１の記憶手段に記憶された情報により表わされる特徴に一致するか否かが判断される。その結果、使用者が必要とするときに、予め定められた使用者であることを、さらに確実かつ迅速に認証できる情報送信システムを提供することができる。
【００２２】
本発明の他の局面にしたがうと、情報送信装置は、電磁波を受付けるための受付手段と、受付手段が受付けた電磁波を、電力に変換するための変換手段と、電力を供給するための供給手段と、電力が供給されると、生体それぞれに固有の特徴を検出するための検出手段と、予め定められた使用者に固有の特徴を表わす情報を記憶するための第１の記憶手段と、電力が供給されると、検出手段が検出した特徴が、第１の記憶手段に記憶された情報により表わされる特徴に一致するか否かを判断するための判断手段と、変換手段が電力を変換すると、検出手段および判断手段のいずれかに設定された、供給手段からの電力の供給の停止を、解除するための解除手段と、予め定められた使用者に固有の特徴を表わす情報とは異なる情報を記憶するための第２の記憶手段と、判断手段によって、検出手段が検出した特徴が、第１の記憶手段に記憶された情報により表わされる特徴に一致すると判断されると、第２の記憶手段に記憶された情報に対応するように変調された信号を生成するための生成手段と、生成手段が生成した信号に対応する電磁波を出力するための出力手段とを含む。
【００２３】
すなわち、受付手段は、電磁波を受付ける。変換手段は、受付手段が受付けた電磁波を、電力に変換する。供給手段は、電力を供給する。検出手段は、電力が供給されると、生体それぞれに固有の特徴を検出する。第１の記憶手段は、予め定められた使用者に固有の特徴を表わす情報を記憶する。判断手段は、電力が供給されると、検出手段が検出した特徴が、第１の記憶手段に記憶された情報により表わされる特徴に一致するか否かを判断する。解除手段は、変換手段が電力を変換すると、検出手段および判断手段のいずれかに設定された、供給手段からの電力の供給の停止を、解除する。第２の記憶手段は、予め定められた使用者に固有の特徴を表わす情報とは異なる情報を記憶する。生成手段は、判断手段によって、検出手段が検出した特徴が、第１の記憶手段に記憶された情報により表わされる特徴に一致すると判断されると、第２の記憶手段に記憶された情報に対応するように変調された信号を生成する。出力手段は、生成手段が生成した信号に対応する電磁波を出力する。これにより、受付手段が予め定められた周波数の電磁波を受付けた場合に、検出手段が検出した特徴が、第１の記憶手段に記憶された情報により表わされる特徴に一致するか否かが判断される。その結果、使用者が必要とするときに、予め定められた使用者であることを迅速に認証できる情報送信装置を提供することができる。
【００２４】
また、上述の解除手段は、変換手段が変換した電力を用いて、電力の供給の停止を、解除するための手段を含むことが望ましい。
【００２５】
すなわち、解除手段は、変換手段が変換した電力を用いて、電力の供給の停止を、解除する。これにより、解除手段は、変換手段が十分な電力を変換すると、電力の供給の停止を解除する。十分な電力が変換されると電力の供給の停止が解除されるので、より確実に、使用者が必要とするとき、検出手段が検出した特徴が第１の記憶手段に記憶された情報により表わされる特徴に一致するか否かが判断される。その結果、使用者が必要とするときに、予め定められた使用者であることを、より確実かつ迅速に認証できる情報送信装置を提供することができる。
【００２６】
もしくは、上述の変換手段が変換した電力は、特定波長の電磁波から変換された電力であることが望ましい。
【００２７】
すなわち、解除手段は、変換手段が変換した、特定波長の電磁波から変換された電力を用いて、電力の供給の停止を、解除する。これにより、さらに確実に、使用者が必要とするとき、検出手段が検出した特徴が第１の記憶手段に記憶された情報により表わされる特徴に一致するか否かが判断される。その結果、使用者が必要とするときに、予め定められた使用者であることを、さらに確実かつ迅速に認証できる情報送信装置を提供することができる。
【発明の効果】
【００２８】
本発明に係る情報送信システムおよび情報送信装置は、使用者が必要とするときに、予め定められた使用者であることを迅速に認証できる。
【発明を実施するための最良の形態】
【００２９】
以下、図面を参照しつつ、本発明の実施の形態について説明する。以下の説明では、同一の部品には同一の符号を付してある。それらの名称および機能も同一である。したがって、それらについての詳細な説明は繰返さない。
【００３０】
＜第１の実施の形態＞
以下、本発明の第１の実施の形態に係るＩＣカードシステムについて、図面に基づいて説明する。
【００３１】
図１を参照して、本実施の形態に係るＩＣカードシステムは、非接触ＩＣカード６０と、携帯端末１１０とを含む。非接触ＩＣカード６０は、外部リーダ・ライタ５０との間で電磁波を介して情報を通信する、情報送信装置である。携帯端末１１０は、外部リーダ・ライタ５０が出力する電磁波を検知して、非接触ＩＣカード６０に電力を供給する。本実施の形態における携帯端末１１０は、携帯電話である。また、携帯端末１１０は、常時、あるいはほとんどの場合において、電源が入っているものである。
【００３２】
図２を参照して、本実施の形態に係る非接触ＩＣカード６０は、第１アンテナ部６２と、送受信ユニット６４と、制御部６６と、記憶部６８と、第１電源部７０と、検出部７２と、生体情報記憶部７４と、個人認証部７６と、第２アンテナ部７８と、第２受信部８０と、第２電源部８２と、内蔵電源部８４と、スイッチ８６とを含む。第１アンテナ部６２は、外部リーダ・ライタ５０との間で電波を送受信する。送受信ユニット６４は、第１アンテナ部６２が取扱う高周波信号と、制御部６６が取扱うデータとを相互に変換する。送受信ユニット６４は、変換したデータを制御部６６に出力する回路でもある。送受信ユニット６４は、変換した高周波信号を第１アンテナ部６２に出力する回路でもある。送受信ユニット６４は、第１アンテナ部６２が受信した高周波信号を分岐させ、電力に変換する回路でもある。制御部６６は、非接触ＩＣカード６０の各部を制御する。制御部６６は、各種のデータを管理する回路でもある。その管理には、後述する個人認証部７６にて使用者を不正使用者ではないと判断した場合、記憶部６８に記憶されたデータの送信などを許可するといった管理も含まれる。記憶部６８は、制御部６６が管理する、予め定められた、使用者に固有の特徴を表わす情報とは異なる情報を記憶する。第１電源部７０は、送受信ユニット６４が出力する電力を蓄電する。第１電源部７０は、蓄電した電力を非接触ＩＣカード６０の各部に供給する回路でもある。検出部７２は、内蔵電源部８４から電力が供給されると、生体それぞれに固有の特徴を検出する。本実施の形態の場合、検出部７２が検出する、生体それぞれに固有の特徴は、指紋、指静脈の分岐点、および指静脈の端点のいずれかの特徴である。このように特徴を検出すると、指紋や指静脈のパターンをすべて検出する場合に比べ、生体情報全体の量を抑制することができる。生体情報全体の量が抑制されると、生体情報の処理を速くでき、かつ電力の消費を抑制することができる。これが、特徴を表わす情報を検出する理由である。検出部７２が、指に関する特徴を表わす情報を検出する理由は、ＩＣカードに搭載できる装置のサイズに制限がある点にある。生体情報記憶部７４は、予め定められた使用者に固有の特徴を表わす情報（生体情報）を予め記憶する。個人認証部７６は、内蔵電源部８４から電力が供給されると、検出部７２が検出した特徴が、生体情報記憶部７４に記憶された情報により表わされる特徴に一致するか否かを判断する。第２アンテナ部７８は、携帯端末１１０の送信部１１８および送信用アンテナ部１２０が出力した電磁波（すなわち変調された電磁波である。本実施の形態において、この電磁波の周波数は、８００ＭＨｚ帯であるとする。ただし、この周波数は、携帯電話を使用する国や地域に応じて自由に設定できる。たとえば、日本で、携帯電話を使用する場合、この周波数を１．５ＧＨｚ帯および２ＧＨｚ帯のいずれかとしてもよい。）を受付ける。第２アンテナ部７８は、自らが受付けた電磁波を、その電磁波の周波数に等しい周波数の交流電力（以下、この交流電力を「高周波信号」と称する。なお、以下の説明において、生成される高周波信号の周波数は、その高周波信号を生成する回路や高周波信号の利用目的などにより異なる。）に変換する装置でもある。なお、第２アンテナ部７８が変換する電磁波の周波数は、第１アンテナ部６２が変換する電磁波の周波数とは異なる。第２受信部８０は、第２アンテナ部７８が出力した高周波信号のうち、予め定められた周波数（すなわち携帯端末１１０が出力する電磁波の周波数）の高周波信号を直流電力に変換する。これにより、第２アンテナ部７８が受付けた、予め定められた周波数の電磁波は、第２アンテナ部７８自身および第２受信部８０によって、電力に変換される。本実施の形態の場合、第２受信部８０は、第２アンテナ部７８が出力した高周波信号を、整流により、直流電力に変換する。第２電源部８２は、第２受信部８０が変換した電力を蓄電する。第２電源部８２は、蓄電した電力をスイッチ８６に供給する回路でもある。内蔵電源部８４は、第１電源部７０および第２電源部８２とは別に、検出部７２および個人認証部７６に、電力を供給する（内蔵電源部８４は、検出部７２および個人認証部７６のいずれかのみに電力を供給する装置であってもよい。その場合、内蔵電源部８４によって電力が供給されないものには、第１電源部７０などが電力を供給する。しかし、本実施の形態の場合、内蔵電源部８４は、検出部７２および個人認証部７６に電力を供給することとする）。内蔵電源部８４は、蓄電池（シート電池やボタン電池などであってもよい。しかし、本実施の形態の場合、内蔵電源部８４は蓄電池であるとする。）により実現される。内蔵電源部８４が蓄電する電力は、生体情報の検出や、個人認証に用いられる。内蔵電源部８４が蓄電する電力は、送受信ユニット６４および第２受信部８０のいずれかが変換した電力である（内蔵電源部８４がシート電池やボタン電池などである場合、内蔵電源部８４が蓄電する電力は、非接触ＩＣカード６０を製造した際に充電された電力である）。スイッチ８６は、内蔵電源部８４から検出部７２、生体情報記憶部７４、および個人認証部７６への回路を開閉する。これにより、スイッチ８６が「ＯＮ」の状態である場合にのみ、内蔵電源部８４は、検出部７２、生体情報記憶部７４、および個人認証部７６に電力を供給することとなる。後述するように、スイッチ８６が「ＯＮ」の状態となるのは、携帯端末１１０が非接触ＩＣカード６０に電力を出力している間のみである。携帯端末１１０が非接触ＩＣカード６０に電力を出力するのは、携帯端末１１０が外部リーダ・ライタ５０を検出している間のみである。
【００３３】
第１アンテナ部６２は、第１アンテナ９０と、第１同調回路９２とを含む。第１アンテナ９０は、外部リーダ・ライタ５０との間で通信用に予め定められた周波数の電波を用いて通信する。第１アンテナ９０は、受信した電波（電磁波）を高周波信号に変換し、第１同調回路９２に出力する。第１アンテナ９０は、第２アンテナ１００とは異なる装置により、第１同調回路９２および後述する送信部９４を介して、制御部６６が生成した信号に対応する電磁波を、外部リーダ・ライタ５０に出力する装置でもある。第１同調回路９２は、第１アンテナ９０が出力した高周波信号からノイズを除去する。第１同調回路９２は、送受信ユニット６４が出力した高周波信号のノイズを除去する回路でもある。
【００３４】
送受信ユニット６４は、送信部９４と第１受信部９６とを含む。送信部９４は、制御部６６が出力した各種データを高周波信号に変換する。第１受信部９６は、第１同調回路９２が出力した高周波信号を制御部６６が利用可能なデータに変換する。第１受信部９６は、第１アンテナ部６２が出力した高周波信号を分岐させ、分岐させた高周波信号を電力に変換する回路でもある。第１受信部９６が高周波信号を直流電力に変換する原理は、第２受信部８０が利用する原理と同一である。第１受信部９６は、変換された直流電力を第１電源部７０に出力する。これにより、第１受信部９６は、電波の分岐勢力から得た電力を第１電源部７０に供給する。なお、第１受信部９６は、個人認証部７６の認証処理の結果に応じて、第１アンテナ部６２が出力した高周波信号をすべて電力に変換することができる。これは、個人認証部７６の認証処理の結果に応じた、制御部６６の制御により実現される。
【００３５】
第２アンテナ部７８は、第２同調回路９８と第２アンテナ１００とを含む。第２同調回路９８は、第２アンテナ１００が出力した高周波信号から、携帯電話が通信に利用する周波数に対応する成分を抽出する。第２同調回路９８は、第２受信部８０が出力した高周波信号から、ノイズを除去する回路でもある。第２アンテナ１００は、後述する第１アンテナ９０が出力する電磁波とは周波数が異なる電磁波（すなわち携帯電話から受信した電磁波）を受信する。第２アンテナ１００は、携帯電話から受信した電磁波を高周波信号に変換する装置でもある。
【００３６】
図３を参照して、本実施の形態の非接触ＩＣカード６０における検出部７２の配置を説明する。図３（Ａ）は、非接触ＩＣカード６０の短辺側に検出部７２を配置する場合を表わす図である。図３（Ｂ）は、非接触ＩＣカード６０の長辺側に検出部７２を配置する場合を表わす図である。これらの図に示すように、本実施の形態に係る非接触ＩＣカード６０は、中心とは異なる位置に検出部７２を配置した長方形のＩＣカードである。これらの配置は、実際に非接触ＩＣカード６０使用する際の、使用者が持つ方向を考慮して決定される。すなわち、使用者が非接触ＩＣカード６０を長手方向に持つ場合、検出部７２は、図３（Ａ）に示す位置（非接触ＩＣカード６０の短辺側の端より長辺側の端に近い位置）に配置される。使用者が非接触ＩＣカード６０の短辺を持つ場合、検出部７２は、図３（Ａ）に示す位置（非接触ＩＣカード６０の長辺側の端より短辺側の端に近い位置）に配置される。使用者が非接触ＩＣカード６０の長辺を持つ場合、検出部７２は、図３（Ｂ）に示す位置に配置される。これにより、カードを保持する部分に検出部７２が配置される。カードを保持する部分に検出部７２が配置されるので、外部リーダ・ライタ５０に非接触ＩＣカード６０を近づける自然な動作の際、個人認証が行なわれる。すなわち、個人認証のために非接触ＩＣカード６０をわざわざ持ち替える必要がなくなる。なお、本実施の形態の場合、検出部７２は、図３（Ａ）に示す位置に配置される。
【００３７】
図４を参照して、携帯端末１１０は、受信用アンテナ部１１２と、受信部１１４と、制御部１１６と、送信部１１８と、送信用アンテナ部１２０とを含む。受信用アンテナ部１１２は、非接触ＩＣカード６０よりも高い感度で外部リーダ・ライタ５０からの特定波長の電磁波を受付け、かつ出力する。受信用アンテナ部１１２は、受信部１１４に、受信した電磁波を出力する装置でもある。受信部１１４は、受信用アンテナ部１１２で受信した電磁波から高周波信号を復調する。受信部１１４は、復調した高周波信号を制御部１１６に出力する回路でもある。制御部１１６は、受信部１１４が出力した高周波信号（ひいては受信用アンテナ部１１２が受付けた電磁波）が表わす、予め定められた信号（この信号は外部リーダ・ライタ５０の存在を示す）を検出する。制御部１１６は、自らがこの予め定められた信号を検出すると（ひいては外部リーダ・ライタ５０の存在を認識すると）、電磁波を出力するように、送信部１１８および送信用アンテナ部１２０を制御する回路でもある。制御部１１６が電磁波を出力するように送信部１１８および送信用アンテナ部１２０を制御する目的は、非接触ＩＣカード６０へ電力を送信することにある。制御部１１６が非接触ＩＣカード６０へ電力を送信する目的は、非接触ＩＣカード６０のスイッチ８６を「ＯＮ」にすることにある。送信部１１８は、制御部１１６の制御により、非接触ＩＣカード６０の第２アンテナ部７８が受信可能な、特定の周波数の高周波信号を生成する。送信用アンテナ部１２０は、送信部１１８が生成した高周波信号に対応する電磁波を出力する。送信部１１８および送信用アンテナ部１２０は、非接触ＩＣカード６０に、電磁波を出力する装置を構成することとなる。この電磁波の出力により、非接触ＩＣカード６０に電力が供給される。
【００３８】
受信用アンテナ部１１２は、第１アンテナ１３０と、第１同調回路１３２とから構成される。第１アンテナ１３０は、外部リーダ・ライタ５０から、特定波長の電磁波を受信する。第１アンテナ１３０は、受信した電磁波を高周波信号に変換する装置でもある。第１同調回路１３２は、第１アンテナ１３０が出力した高周波信号から、特定波長の電磁波に対応する成分を抽出する。第１アンテナ１３０は、非接触ＩＣカード６０に内蔵している第１アンテナ９０よりも高感度のアンテナである。第１アンテナ１３０を第１アンテナ９０よりも高感度のアンテナとする理由は、高感度のアンテナを搭載することが比較的容易という点にある。高感度のアンテナを搭載することが容易な理由は、非接触ＩＣカード６０の形状が規格などで規定されているのに対し、携帯端末１１０の形状は特に規定されていない点にある。第１アンテナ１３０が第１アンテナ９０よりも高感度のアンテナなので、携帯端末１１０は、非接触ＩＣカード６０よりも先に外部リーダ・ライタ５０を検出できる。一方、使用者が外部リーダ・ライタ５０から離れる（すなわち携帯端末１１０が外部リーダ・ライタ５０から離れる）と、携帯端末１１０は、外部リーダ・ライタ５０が出力する電磁波を受信できなくなる。携帯端末１１０がその電磁波を受信できなくなると、制御部１１６は、非接触ＩＣカード６０への給電を停止させる。こうすることで、外部リーダ・ライタ５０が近傍にある時に、非接触ＩＣカード６０のスイッチ８６が「ＯＮ」になる。これにより、外部リーダ・ライタ５０が近傍にある時に、内蔵電源部８４は電力を供給する。
【００３９】
送信用アンテナ部１２０は、第２アンテナ１４０と、第２同調回路１４２とから構成される。第２アンテナ１４０は、第２同調回路１４２が出力した高周波信号を、その高周波信号の周波数と同じ周波数の電磁波に変換する。第２アンテナ１４０は、変換した電磁波を出力する装置でもある。第２同調回路１４２は、送信部１１８が出力した高周波信号から、ノイズを除去する。
【００４０】
図５を参照して、本実施の形態に係るＩＣカードシステムで実行されるプログラムは、使用者の認証およびデータの入出力に関し、以下のような制御構造を有する。
【００４１】
ステップ１００（以下、ステップをＳと略す。）にて、携帯端末１１０の電源が「ＯＮ」されると、携帯端末１１０の制御部１１６は、携帯端末１１０の各構成要素を、外部リーダ・ライタ５０が検出できる状態となるように制御する。
【００４２】
Ｓ１０２にて、制御部１１６は、受信用アンテナ部１１２、および受信部１１４を制御して外部リーダ・ライタ５０を検出する。Ｓ１０４にて、制御部１１６は、非接触ＩＣカード６０に電力を供給するように、送信部１１８および送信用アンテナ部１２０を制御する。
【００４３】
Ｓ１０６にて、非接触ＩＣカード６０の第２アンテナ部７８は、受信した電磁波を高周波信号に変換する。第２受信部８０は、高周波信号を電力に変換する。Ｓ１０８にて、非接触ＩＣカード６０の第２電源部８２は、第２受信部８０が出力した電力を蓄電する。Ｓ１１０にて、第２電源部８２は、スイッチ８６に電力を供給する。スイッチ８６は、電力が供給されると、その電力を用いて「ＯＮ」になる。スイッチ８６が「ＯＮ」になると、内蔵電源部８４から、検出部７２、生体情報記憶部７４、および個人認証部７６への電路が開かれる。これにより、スイッチ８６は、第２アンテナ部７８および第２受信部８０が電力を変換すると、検出部７２および個人認証部７６のいずれかに設定された、内蔵電源部８４からの電力の供給の停止を、解除することとなる。その際、スイッチ８６は、第２アンテナ部７８および第２受信部８０が変換した電力を用いて、電力の供給の停止を、解除することとなる。Ｓ１１２にて、検出部７２は、使用者の指が密着したことを検出する。Ｓ１１４にて、検出部７２は、使用者の指紋および指静脈の画像データを採取する。
【００４４】
Ｓ１１６にて、個人認証部７６は、検出部７２が採取したデータにより表わされる、指紋および指静脈の特徴が、生体情報記憶部７４に記憶されている情報により表わされる特徴に一致するか否かを判断する。一致すると判断した場合（Ｓ１１６にてＹＥＳ）、処理はＳ１１８へと移される。もしそうでないと（Ｓ１１６にてＮＯ）、処理はＳ１２０へと移される。Ｓ１１８にて、個人認証部７６は、「Ｈ」レベルの認証信号を制御部６６の「ＲＥＳＥＴ入力」の端子（制御部６６をリセットさせる端子）に出力する。これにより、制御部６６は、外部リーダ・ライタ５０との通信が可能となる。Ｓ１２０にて、非接触ＩＣカード６０の制御部６６は、使用者が不正使用者と判断する。個人認証部７６は、「Ｌ」レベルの認証信号を制御部６６の「ＲＥＳＥＴ入力」の端子（制御部６６をリセットさせる端子）に出力する。
【００４５】
Ｓ１２２にて、使用者は非接触ＩＣカード６０を外部リーダ・ライタ５０に近づける。第１アンテナ部６２は、外部リーダ・ライタ５０からの電磁波を受信する。Ｓ１２４にて、第１アンテナ部６２は、受信した電磁波を高調波信号に変換する。送受信ユニット６４の第１受信部９６は、高調波信号の一部を電力に変換する。Ｓ１２６にて、第１電源部７０は、第１受信部９６が変換した電力を蓄電する。Ｓ１２８にて、制御部６６は、第１電源部７０が供給する電力を受付ける。制御部６６は、電力を受付けると、第１アンテナ部６２および送受信ユニット６４を用いて記憶部６８に記憶されたデータの通信を行なう。
【００４６】
以上のような構造およびフローチャートに基づく、ＩＣカードシステムの動作について説明する。
【００４７】
［真正使用者が非接触ＩＣカードを使用する場合］
携帯端末１１０の電源が「ＯＮ」されると、携帯端末１１０の制御部１１６は、携帯端末１１０の各構成要素を、外部リーダ・ライタ５０が検出できる状態となるように制御する（Ｓ１００）。各構成要素が制御されると、制御部１１６は、外部リーダ・ライタ５０を検出する（Ｓ１０２）。外部リーダ・ライタ５０が検出されると、制御部１１６は、非接触ＩＣカード６０に電力を供給させる（Ｓ１０４）。電力が供給されると、非接触ＩＣカード６０の第２アンテナ部７８は、受信した電磁波を高周波信号に変換する。第２受信部８０は、高周波信号を電力に変換する（Ｓ１０６）。高周波信号が電力に変換されると、第２電源部８２は、第２受信部８０が出力した電力を蓄電する（Ｓ１０８）。電力が蓄電されると、第２電源部８２は、スイッチ８６に電力を供給する。スイッチ８６は、電力が供給されると「ＯＮ」になる（Ｓ１１０）。スイッチ８６が「ＯＮ」になると、検出部７２は、使用者の指が密着したことを検出する（Ｓ１１２）。使用者の指が密着したことが検出されると、検出部７２は、使用者の指紋および指静脈の画像データを採取する（Ｓ１１４）。画像データが採取されると、個人認証部７６は、検出部７２が採取したデータにより表わされる、指紋および指静脈の特徴が、生体情報記憶部７４に記憶されている情報により表わされる特徴に一致するか否かを判断する（Ｓ１１６）。この場合、一致すると判断されるので（Ｓ１１６にてＹＥＳ）、個人認証部７６は、「Ｈ」レベルの認証信号を出力する。これにより、制御部６６は、外部リーダ・ライタ５０との通信が可能となる（Ｓ１１８）。外部リーダ・ライタ５０との通信が可能となると、使用者は非接触ＩＣカード６０を外部リーダ・ライタ５０に近づける。第１アンテナ部６２は、外部リーダ・ライタ５０からの電磁波を受信する（Ｓ１２２）。第１アンテナ部６２が電磁波を受信すると、第１アンテナ部６２は、受信した電磁波を高調波信号に変換する。送受信ユニット６４の第１受信部９６は、高調波信号の一部を電力に変換する（Ｓ１２４）。高調波信号の一部が電力に変換されると、第１電源部７０は、第１受信部９６が変換した電力を蓄電する（Ｓ１２６）。電力が蓄電されると、制御部６６は、第１電源部７０が供給する電力を受付ける。制御部６６は、電力を受付けると、第１アンテナ部６２および送受信ユニット６４を用いて記憶部６８に記憶されたデータの通信を行なう（Ｓ１２８）。すなわち、制御部６６は、個人認証部７６によって、検出部７２が検出した特徴が、生体情報記憶部７４に記憶された情報により表わされる特徴に一致すると判断されると、記憶部６８に記憶された情報に対応するように変調された信号を生成することとなる。さらに、第１アンテナ部６２は、制御部６６が生成した信号に対応する電磁波を出力することとなる。
これにより、使用者は、クレジット機能やデビットカード機能などといった、所望するＩＣカードの機能を得る。
【００４８】
［不正使用者が非接触ＩＣカードを使用する場合］
画像データが採取されると、個人認証部７６は、検出部７２が採取したデータにより表わされる、指紋および指静脈の特徴が、生体情報記憶部７４に記憶されている情報により表わされる特徴に一致するか否かを判断する（Ｓ１１６）。この場合、一致しないと判断されるので（Ｓ１１６にてＮＯ）、個人認証部７６は、「Ｌ」レベルの認証信号を制御部６６の「ＲＥＳＥＴ入力」の端子に出力する（Ｓ１２０）。「Ｌ」レベルの認証信号が出力されると、携帯端末１１０の制御部１１６は、非接触ＩＣカード６０に電力を供給させる（Ｓ１０４）。電力の供給は、非接触ＩＣカード６０および携帯端末１１０が外部リーダ・ライタ５０から離れるまで繰返される。
【００４９】
以上のようにして、本実施の形態に係るＩＣカードシステムは、個人認証に必要な電力の放電を極力防止する。放電が極力防止されるのは、主として携帯端末１１０が外部リーダ・ライタ５０を検出している間（事実上、この間に使用者を認証する必要が生じる）に、内蔵電源部８４が、検出部７２、生体情報記憶部７４、および個人認証部７６に電力を供給し、その他のときにはほとんど電力を供給しないためである。放電が極力防止されるので、内蔵電源部８４の電力はむやみに消費されない。その上、本実施の形態に係る携帯端末１１０は、非接触ＩＣカード６０の第１アンテナ９０よりも早く外部リーダ・ライタ５０の存在を検出する。これにより、非接触ＩＣカード６０の第１アンテナ９０自身が外部リーダ・ライタ５０の存在を検出する場合に比べ、早期に個人認証が可能になる。早期に個人認証が可能になるので、使用者が個人認証をしようとしているにも関わらず個人認証が実施されないといったことがなくなる。そのようなことがなくなるので、使用者が必要とするとき、生体情報に基づいて、迅速に個人認証ができる。生体情報に基づいて、個人認証がなされるので、正当な使用者以外の第三者による不正使用を防止できる。使用者が必要とするとき、個人認証ができないといった事態の発生は防止される。その結果、本実施の形態に係るＩＣカードシステムは、使用者が必要とするときに、予め定められた使用者であることを迅速に認証できる。さらに、本実施の形態に係る非接触ＩＣカードは、検出部を使用者が主に保持する位置に配置する。これにより、個人認証のためにあらためてＩＣカードを持直す必要がない、自然な動作によって個人認証が可能なＩＣカード（すなわち情報送信装置）を提供することができる。その上、本実施の形態に係る非接触ＩＣカードは、カード表面に電力の供給を受けるための端子を設ける代わりに、上述した各構成を設けている。これにより、カードに電力を供給する際、端子と電源との位置決めの必要がなくなる。位置決めの必要がなくなるので、カードの利便性が向上する。その結果、より利便性が高いＩＣカードを提供することができる。
【００５０】
なお、検出部７２が配置される位置は、図３に示す位置に限定されない。たとえば、検出部７２は、非接触ＩＣカード６０の四隅のいずれかに配置されてもよい。
【００５１】
また、第２受信部８０は、携帯端末１１０が出力する電磁波以外の電磁波もあわせて電力に変換してもよい。
【００５２】
その他、第２アンテナ部７８は、携帯端末１１０の送信部１１８および送信用アンテナ部１２０が出力した電磁波の代わりに、特定波長の電磁波を受付けてもよい。ここでいう「特定波長の電磁波」とは、携帯端末１１０が外部リーダ・ライタ５０から受付ける電磁波のことである。これにより、携帯端末１１０がなくとも、使用者が必要とするときに、予め定められた使用者であることを迅速に認証できるＩＣカードを提供することができる。
【００５３】
ちなみに、携帯端末１１０は、携帯電話に限定されない。たとえば携帯用情報端末などといった、使用者が携帯する端末であればよい。
【００５４】
＜第２の実施の形態＞
以下、本発明の第２の実施の形態に係るＩＣカードシステムについて、図面に基づいて説明する。
【００５５】
図６を参照して、非接触ＩＣカード６１は、表示部１０２をさらに含む。表示部１０２は、非接触ＩＣカード６１の動作の状態に応じた表示をする。すなわち、表示部１０２は、携帯端末１１０から電磁波を受付けたこと、および個人認証部７６により検出部７２が検出した特徴が生体情報記憶部７４に記憶された情報により表わされる特徴に一致すると判断されたことを、それぞれ表示する。これらのことは、認証信号に対応する。認証信号は、個人認証部７６によって表示部１０２に入力される。表示部１０２は、非接触ＩＣカード６１の表面（ただし、外部から容易に確認することができる位置であれば、他の場所であってもよい）に取り付けられている。表示部１０２は、ＬＥＤ（Light Emitting Diode）によって構成される。表示部１０２は、スイッチ８６を通じて内蔵電源部８４から電力が供給されると動作する。表示部１０２は、携帯端末１１０が外部リーダ・ライタ５０を検出するまで点灯しない。電力が給電されていないためである。携帯端末１１０は、外部リーダ・ライタ５０を検出すると、非接触ＩＣカード６１に電力を送信する。この場合、スイッチ８６が「ＯＮ」となる。この時、表示部１０２は、「第１の点灯状態」になる。「第１の点灯状態」とは、非接触ＩＣカード６１が個人認証を行なえる状態になっていることを示す状態である。個人認証が完了し、かつ照合結果が一致している場合、表示部１０２は、「第２の点灯状態」になる。「第２の点灯状態」とは、非接触ＩＣカード６１の制御部６６が、記憶部６８に記憶された情報を通信できることを示す状態である。照合結果が一致しない場合は、表示部１０２は「第１の点灯状態」のままである。なお、その他のハードウェア構成については前述の第１の実施の形態と同じである。それらについての機能も同じである。したがって、それらについての詳細な説明はここでは繰返さない。
【００５６】
図７を参照して、ＩＣカードシステムで実行されるプログラムは、使用者の認証およびデータの入出力に関し、以下のような制御構造を有する。なお、図７に示すフローチャートの中で、前述の図５に示した処理は同じステップ番号を付してある。それらの処理も同じである。したがって、それらについての詳細な説明はここでは繰返さない。
【００５７】
Ｓ１５０にて、内蔵電源部８４は、スイッチ８６を介して表示部１０２に電力を供給する。Ｓ１５２にて、個人認証部７６は、表示部１０２を「第２の点灯状態」にする認証信号を出力する。
【００５８】
以上のような構造およびフローチャートに基づく、ＩＣカードシステムの動作について説明する。
【００５９】
Ｓ１００〜Ｓ１１０の処理を経て、非接触ＩＣカード６１のスイッチ８６が「ＯＮ」になると、内蔵電源部８４は、スイッチ８６を介して表示部１０２に電力を供給する（Ｓ１５０）。これにより、表示部１０２は「第１の点灯状態」となる。表示部１０２が「第１の点灯状態」となると、Ｓ１１２〜Ｓ１１６の処理を経て、個人認証部７６は、認証信号を表示部１０２に入力する（Ｓ１５２）。認証信号が入力されると、表示部１０２は「第２の点灯状態」になる。
【００６０】
以上のようにして、本実施の形態に係るＩＣカードシステムは、非接触ＩＣカードの状態に応じた表示をすることができる。これにより、使用者が非接触ＩＣカード６１の状態を確認できる。状態が確認されると、指の押付け状態が適切でないなどの原因で、個人認証がＮＧであった場合、使用者はそのことを確認できる。その結果、本実施の形態に係るＩＣカードシステムは、非接触ＩＣカードの動作の状態が明らかなため、使用者がストレスを感じることがなく、かつ使用者が必要とするときに、予め定められた使用者であることを迅速に認証できる。
【００６１】
なお、「第１の点灯状態」、および「第２の点灯状態」の相違点は、点灯する色であってもよいし、点灯するパターンであってもよい。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６３】
【図１】本発明の第１の実施の形態に係るＩＣカードシステムの全体構成図である。
【図２】本発明の第１の実施の形態に係る非接触ＩＣカードの制御ブロック図である。
【図３】本発明の第１の実施の形態に係る検出部の配置を表わす図である。
【図４】本発明の第１の実施の形態に係る携帯端末の制御ブロック図である。
【図５】本発明の第１の実施の形態に係るＩＣカードシステムの認証およびデータの入出力処理の制御の手順を示すフローチャートである。
【図６】本発明の第２の実施の形態に係る非接触ＩＣカードの制御ブロック図である。
【図７】本発明の第２の実施の形態に係るＩＣカードシステムの認証およびデータの入出力処理の制御の手順を示すフローチャートである。
【図８】従来例に係る非接触ＩＣカードの全体構成図である。
【符号の説明】
【００６４】
５０  外部リーダ・ライタ、６０，６１  非接触ＩＣカード、６２  第１アンテナ部、６４  送受信ユニット、６６，１１６，１５０  制御部、６８，１５６  記憶部、７０  第１電源部、７２  検出部、７４  生体情報記憶部、７６  個人認証部、７８  第２アンテナ部、８０  第２受信部、８２  第２電源部、８４  内蔵電源部、８６  スイッチ、９０，１３０  第１アンテナ、９２，１３２  第１同調回路、９４，１１８，１７２  送信部、９６  第１受信部、９８，１４２  第２同調回路、１００，１４０  第２アンテナ、１０２  表示部、１１０  携帯端末、１１２  受信用アンテナ部、１１４，１７４  受信部、１２０  送信用アンテナ部、１５２  センサ部、１５４  電源部、１５８  送受信部、１６０  アンテナ、１６２  電源コード。
【図１】
2005182192.tif 000003
【図２】
2005182192.tif 000004
【図３】
2005182192.tif 000005
【図４】
2005182192.tif 000006
【図５】
2005182192.tif 000007
【図６】
2005182192.tif 000008
【図７】
2005182192.tif 000009
【図８】
2005182192.tif 000010